(57)【要約】      （修正有）【課題】本発明は、喫煙品パックに関する。パックおよび内部の枠はそれらを組み合わせて用いられ、パック本体を形成するために必要なブランクの表面積を実質的に増加させずに消費者に対し情報を提供する目的で、図画および／または印を印刷するための内部表面積を実質的に増加させている。【解決手段】パック1の蓋３の前壁５の最短長さと、該パックの基部の前壁４の最短長さとの比が、標準的なヒンジ式蓋付きパックのその比よりも大きく、その比は35：65から95：5の範囲内であり、さらに前記パックは内部枠を含み、前記基部の前壁４の頂縁部と内部枠の上縁部との間の該内部枠に、印および／または図画が印刷されているヒンジ式蓋付き喫煙品パックを提供する。【選択図】図１
2008056356.tif 000002
【特許請求の範囲】
【請求項１】
ヒンジ式蓋付き喫煙品パックであって、該パックの蓋の前壁の最短長さと、該パックの基部の前壁の最短長さとの比が、標準的なヒンジ式蓋付きパックのその比よりも大きく、その比は35：65から95：5の範囲内であり、さらに前記パックは内部枠を含み、前記基部の前壁の頂縁部と内部枠の上縁部との間の該内部枠に、印および／または図画が印刷されていることを特徴とする、ヒンジ式蓋付き喫煙品パック。
【請求項２】
前記比が、35：65から90：10の範囲内であることを特徴とする、請求項１記載のヒンジ式蓋付き喫煙品パック。
【請求項３】
前記比が、35：65から75：25の範囲内であることを特徴とする、請求項２記載のヒンジ式蓋付き喫煙品パック。
【請求項４】
前記比が、40：60から60：40の範囲内であることを特徴とする、請求項３記載のヒンジ式蓋付き喫煙品パック。
【請求項５】
パックの蓋が閉じている時、前記蓋の前壁の下縁部が、前記基部の前壁の上縁部と当接することを特徴とする、請求項１乃至４いずれか１項記載のヒンジ式蓋付き喫煙品パック。
【請求項６】
パックの蓋が閉じている時、前記蓋の前壁の下縁部が、前記基部の前壁の上縁部と当接しないことを特徴とする、請求項１乃至４いずれか１項記載のヒンジ式蓋付き喫煙品パック。
【請求項７】
パックの蓋が閉じている時、前記蓋の前壁の下縁部が、前記基部の前壁の上縁部と一部当接することを特徴とする、請求項１乃至４いずれか１項記載のヒンジ式蓋付き喫煙品パック。
【請求項８】
前記蓋の前壁の内方に面する表面に、印および／または図画が印刷されていることを特徴とする、請求項１乃至７いずれか１項記載のヒンジ式蓋付き喫煙品パック。
【請求項９】
請求項１乃至８いずれか１項に記載のパックの本体を形成するための喫煙品パックブランクであって、前記ブランクの表面積が、21675ｍｍ2から21695ｍｍ2の範囲内である喫煙品パックブランク。
【請求項１０】
前記表面積が、21680ｍｍ2から21685ｍｍ2の範囲内であることを特徴とする、請求項９記載の喫煙品パックブランク。
【発明の詳細な説明】
【技術分野】
【０００１】
本発明は、ヒンジ式蓋付き喫煙品パック、特に紙巻きタバコ用のパックに関するが、しかしそれには限定されない。
【背景技術】
【０００２】
当業者に良く知られているように、最も一般的に利用されている紙巻きタバコパックのひとつは、通常、ヒンジ式蓋付きパック（以下「ＨＬパック」とする）として知られているものである。ＨＬパックの主要な構成部分は、基部、これにヒンジ式に連結した蓋、および内部の枠である。通常、標準的なＨＬパックは、パックの前後の壁が両側壁よりも幅が広くなるような寸法形状を有する。
【０００３】
ＨＬパックの内部枠は、前壁と両側壁とからなり、内部枠の一部がパックの基部の上に突き出し、さらにＨＬパックの蓋が開いている時に露出するようにパックの基部内に位置する。内部枠の露出部分は、パックの蓋が閉じている時、ＨＬパックの蓋部の前壁および両側壁により実質的に覆われる。
【０００４】
消費者が選択した喫煙品の銘柄名および製造会社に関するできるだけ多くの情報を消費者が受け取るために、そのような情報を載せるための利用可能な表面積を最大にすると有利である。
【０００５】
今日までの、情報を提供するおよび広告する方法としては、クーポンをパックに含めるか、またはパックに添付する方法などがある。しかしながら、クーポンを利用すると、標準的なパック材料よりも多くの材料が必要となり、パック製造が複雑になる。
【発明の開示】
【発明が解決しようとする課題】
【０００６】
本発明は、パックの製造に必要な材料を実質的に増加させずにまたは実際に材料を全く増加させずに、広告スペースを実質的に増加させた喫煙品パックの供給を目的としている。
【０００７】
本発明の更なる目的は、増加した広告スペースを提供すると同時に、標準的なヒンジ式蓋付きパックと実質的に変わらない外見を有した喫煙品用のＨＬパックを提供することである。提供するパックは、標準的なＨＬパックの外見と実質的に同一な外見を容易に達成できる。
【課題を解決するための手段】
【０００８】
第一に、本発明では、パックの蓋の前壁の最短長さと、該パックの基部の前壁の最短長さとの比が、標準的なヒンジ式蓋付きパックのその比よりも大きく、その比は35：65から95：5の範囲内であり、さらに前記パックは内部枠を含み、前記基部の前壁の頂縁部と内部枠の上縁部との間の該内部枠に、印および／または図画が印刷されているヒンジ式蓋付き喫煙品パックを提供する。
【０００９】
また、本発明のパックは、角度Φが30°未満であり、ここで言う角度Φは、Φを形成するまたはΦの境界を定める２本の直線で形成される角度とみなし、その直線のうちの一本は、パックの基部の背部の平面を表わす直線である。もう一本の直線は、基本的に、ＨＬパックのヒンジ線と基部の前壁の上縁部を表す点とを通るまたは繋ぐ直線である。後者の直線は通常、基部の（両）側壁上方の傾斜した縁部を形成する線となる。
【００１０】
本発明の第一の態様では、基部の前壁の頂縁部と内部枠の上縁部の最下点との間の内部枠の最短長さと、基部の前壁の最短長さとの比が（以下、「比Ａ：Ｂ」とする）、標準的なＨＬパックのその比よりも大きい。
【００１１】
基部の前壁の頂縁部と内部枠の上縁部の最下点との間の内部枠の最短長さと、基部の前壁の最短長さとの比、すなわち比Ａ：Ｂは、約0.15：1から約15.0：1の範囲内であることが好ましい。
【００１２】
基部の前壁の頂縁部と内部枠の上縁部の最下点との間の内部枠の最短長さと、基部の前壁の最短長さとの比は、約0.15：1から約7：1の範囲内であることが好適である。その比は、約0.25：1から約1.1：1の間であることが好ましく、さらに、約0.3：1から約1：1の範囲内であることがより好ましい。
【００１３】
Ａ：Ｂの比を、例えば、寸法Ｂのみを減らすことにより増加させることができることは、当業者には容易に明らかである。
【００１４】
本発明の第二の態様では、蓋の前壁の最短長さと、基部の前壁の最短長さとの比が（以下、「比Ｃ：Ｂ」とする）、標準的なＨＬパックのその比よりも大きい。
【００１５】
蓋の前壁の最短長さと、基部の前壁の最短長さとの比、すなわち比Ｃ：Ｂは、約35：65から約95：5の範囲内であることが好ましい。
【００１６】
蓋の前壁の最短長さと基部の前壁の最短長さとの、垂直位置の比は、約35：65から約90：10の範囲内であることが適切である。またこの比は、約35：65から約75：25の範囲内であることが好ましく、さらに約40：60から約60：40の範囲内であることがより好ましい。
【００１７】
比Ｃ：Ｂが、例えば、Ｂのみを減らすことにより増加させることができ、これとは別に、寸法Ｂを減らし、同時に寸法Ｃを増やすことにより増加させることができることは、当業者には容易に理解できることである。比Ｃ：Ｂは、寸法Ｂを減少させそれに比例して寸法Ｃを増加することにより、増加させることが好ましい。寸法Ｂの減少が寸法Ｃの増加と同じであることが特に好ましい。
【００１８】
本発明の第一および第二の態様は、個別にまたは組み合わせて用いてもよい。
【００１９】
第二に、本発明では、基部の前壁の頂縁部と内部枠の上縁部の最下点との間の内部枠の最短長さと、基部の前壁の最短長さとの比が（以下「比Ａ：Ｂ」とする）、標準的なＨＬパックのその比よりも大きく、比Ａ：Ｂが、寸法Ａのみの増加によって増加させられる喫煙品用ＨＬパックを提供する。
【００２０】
本発明では、内部枠、蓋の前壁、および基部の前壁の長さが底壁、特に前壁底部の折り目線と直角に測定されることが好ましい。
【００２１】
本発明では、パックの蓋が閉じている時、蓋の前壁の下縁部が、基部の前壁の上縁部と当接することが特に好ましい。蓋の前壁の下縁部と基部の前壁の上縁部との当接線は、パックの底壁と実質的に平行であってもよい。本発明の本態様において、パックの垂直高Ｆは、蓋の前壁の長さＣと、基部の前壁の長さＢとの合計に等しく、この際、長さＣとＢが、ＨＬパックの底壁に対し垂直に測定された長さである。
【００２２】
これとは別の態様では、パックの蓋が閉じている時、蓋の前壁の下縁部が、基部の前壁の上縁部と当接しない。本発明のこの別の態様では、パックの垂直高Ｆは、蓋の前壁の長さＣと、基部の前壁の長さＢの合計よりも長く、この際、長さＣとＢが、ＨＬパックの底壁に対し垂直に測定された長さである。
【００２３】
本発明の更なる別の態様では、パックの蓋が閉じている時、蓋の前壁の下縁部が、基部の前壁の上縁部と一部当接する。蓋の前壁の下縁部と基部の前壁の上縁部との当接線は、パックの底壁と実質的に平行であってもよい。
【００２４】
蓋の前壁の下縁部の一部が、基部の前壁と当接関係となる以外にも、パックの蓋が閉じている時、基部の前壁の一部と重なってもよく、またはこれとは別に、内部枠の一部が、露出されるように、基部の前壁とは間隔を開けられていてもよい。
【００２５】
基部の前壁の頂縁部と内部枠の上縁部との間の内部枠には、パックの蓋が開いている時、消費者にのみ見られる印および／または図画を印刷してもよい。
【００２６】
これとは別に、またはそれに加えて、パックの蓋が開いている時、蓋の前壁の内方に面している表面に、消費者にのみ見られる印および／または図画を印刷してもよい。
【００２７】
ここで言う好ましい比を、図画および／または印を印刷するために、要求される表面領域を提供する目的で選択することが好適である。
【００２８】
本発明の喫煙品パックの蓋が閉じている時、そのパックが喫煙品用ヒンジ式蓋付きパックの外見を有している。
【００２９】
本発明はさらに、本発明によるパックの本体を形成するためのヒンジ式蓋付き喫煙品用のパックブランクを提供する。
【００３０】
喫煙品用ＨＬパックブランク（内部枠を除く）の表面積は、標準的なヒンジ式蓋付きパックブランクの表面積と、実質的に同じであることが好ましい。ここで言っている標準的なヒンジ式蓋付きパックの（内部枠を除く）表面積は、約21685ｍｍ2である。
【００３１】
本発明の喫煙品用パックブランクの表面積が、約21675ｍｍ2から約21695ｍｍ2の範囲内であることが有利である。
【００３２】
また、このパックブランクの表面積は、約21680ｍｍ2から約21685ｍｍ2の範囲内であることが好ましい。
【００３３】
本発明が容易に理解され、さらに容易に実施されることを目的として、以下に添付図面を参照して例示する。
【００３４】
図１は、蓋が閉じている時の喫煙品ＨＬパック１を示す。パック１は、基部２と蓋３とからなり、その基部は、前壁４と、両側壁１１ａと、底壁１０と、背壁１３ａとを有する。蓋３は、頂壁１２と、前壁５と、両側壁１１ｂと、背壁１３ｂとを有する。基部の背壁１３ａおよび蓋の背壁１３ｂはヒンジ線７に沿ってつながっている。ヒンジ線７は頂壁１２および底壁１０と平行である。基部の前壁４と蓋の前壁５とが、パックの蓋が図１のように閉じている時、当接線６で互いに当接する。図１に示すように、基部の前壁４と蓋の前壁５とが互いに当接している時、パックの垂直高（Ｆ）は蓋の前壁５の最短長さ（Ｃ）と基部の前壁４の最短長さ（Ｂ）との合計に等しい。図１は、本発明の第一の態様によるパック１を示し、そのパック１は２つの直線の間に形成される角度Φを有しており、その直線のうちの１本は、基部の背壁１３ａの平面を表す直線である。もう一方の直線は、ＨＬパック１のヒンジ線７と基部の前壁４の上縁部を表す点とを相互につないだ直線である。
【００３５】
本発明の一つの態様では、底壁１０に対して垂直方向にある基部の前壁４の最短長さ（Ｂ）と、底壁１０に対して垂直方向にある蓋の前壁５の最短長さ（Ｃ）との比は、印および／または図画を印刷するための内部枠の表面積が増加するような比となる。内部の表面領域は、図５および６に示すような内部枠を用いて供してもよい。これとは別にまたは加えて、内部の表面領域を、蓋の前壁５の内方に面している表面を用いることで増加させてもよい。
【００３６】
図２は、蓋が開いている時の本発明の一つの態様による喫煙品ＨＬパック１を示す。図２において、図１と同じ特徴を示すものには同じ参照番号を用いている。本態様において、蓋の背壁１３ｂおよび基部の背壁１３ａ（図示せず）は、パック１の蓋を開け、内部枠８を露出させるためにヒンジ線７に沿ってヒンジ式につながっている。本発明の一つの態様によると、当接線６と内部枠の上縁部の最下点９との間に位置する、底壁１０に対して垂直方向にある内部枠８の最短長さ（Ａ）は、内部枠８の露出された表面に印および／または図画を印刷できるような長さである。
【００３７】
これとは別にまたは加えて、蓋の前壁５の内方に向いた表面に、印および／または図画を印刷してもよい。
【００３８】
図３および７は、蓋が閉じている時の本発明の別の態様による喫煙品ＨＬパック１を示す。図３において、先の図と同じ特徴を示すものには同じ参照番号を用いている。本態様において、蓋の前壁５の下縁部は基部の前壁４と間隔が開いており、内部枠８の一部が、パックの蓋が閉じている時に露出している。図３および７に示した態様において、パックの垂直高（Ｆ）は蓋の前壁５の最短長さ（Ｃ）と基部の前壁４の最短長さ（Ｂ）との合計よりも長い。
【００３９】
別の態様において、蓋の前壁５の下縁部の一部が基部の前壁４と間隔を開けていてもよく、内部枠８の一部が、パックの蓋が閉じている時に露出する。
【００４０】
さらに別の態様（図示せず）において、蓋の前壁５の下縁部の一部または全部が、パックの蓋が閉じている時に、基部の前壁４の一部と重なっていてもよい。
【００４１】
図４は、図１および２の本発明によるパック１の本体のパックブランクを示す。図１および２と同じ部分には同じ番号を付している。
【００４２】
ブランクは、基部の前壁４と、底壁１０と、基部の背壁１３ａと、蓋の背壁１３ｂと、頂壁１２と蓋の前壁５とからなる。基部の前壁４は、両側部に位置する折りしろ（margins）１４を有し、両側部フラップ１５がそれらから延びている。パックを直立させた時、両側部フラップ１５が両側壁１１ａの内側に位置し、それに接着してもよい。
【００４３】
両側壁１１ａは、底部に位置する折りしろ１６とそこから延びる基部壁内部フラップ１７とを有する。パックを直立させた時、基部壁内部フラップ１７が底壁１０の内側に位置し、それに固定される。蓋の背壁１３ｂは、両側部に位置する折りしろ１８を有し、両側部フラップ１９がそれらから延びている。両側部フラップ１９は、頂部に位置する折りしろ２０を有し、頂壁両側部フラップ２１がそこから延びている。パックを直立させた時、両側部フラップ１９は、蓋の両側壁１１ｂの内側に位置し、それに固定される。それに加えて、頂壁両側部フラップが頂壁１２の内側に位置し、それに固定してもよい。
【００４４】
図４において、折り目線は実線で示しており、切断線は破線で示している。
【００４５】
本発明の一つの態様において、パックを直立させ、さらにパックの蓋が閉じている時、基部の前壁４の頂縁部２２と蓋の前壁５の最下縁部２３とが、当接線６（図示せず）で互いに当接する。
【００４６】
これとは別に、基部の前壁４の頂縁部２２と蓋の前壁５の最下縁部２３とが、パックを直立させ、さらにパックの蓋が閉じている時、間隔を開けていてもよい。
【００４７】
図４のブランクの表面積は、標準的なヒンジ式蓋付きパックのブランク（内部枠を除く）の表面積を実質的に超えない。標準的なヒンジ式蓋付きパックのブランク（内部枠を除く）の表面積は、約21685ｍｍ2である。
【００４８】
図５および６は、本発明のパック１の本体と併せて用いられる内部枠８を示す。内部枠の頂縁部の最下点は、図５および６において符号９で示している。
【図面の簡単な説明】
【００４９】
【図１】パックの蓋が閉じている時の、本発明の第一の態様によるパックを示す。
【図２】パックの蓋が開いている時の、本発明の第一の態様によるパックを示す。
【図３】パックの蓋が閉じている時の、本発明の別の態様によるパックを示す。
【図４】本発明における図１および２のパック本体用のパックブランクを示す。
【図５】本発明のパック本体と併せて用いられる内部枠を示す。
【図６】本発明のパック本体と併せて用いられる内部枠を示す。
【図７】パックの内部枠を除いて示した、図３のパックの側面図。
【符号の説明】
【００５０】
１…………ヒンジ式蓋付き喫煙品パック
２…………基部
３…………蓋
４…………基部の前壁
５…………蓋の前壁
６…………当接線
７…………ヒンジ線
８…………内部枠
１０………底壁
１１ａ……基部の側壁
１１ｂ……蓋の側壁
１２………頂壁
１３ａ……基部の背壁
１３ｂ……蓋の背壁
【図１】
2008056356.tif 000003
【図２】
2008056356.tif 000004
【図３】
2008056356.tif 000005
【図４】
2008056356.tif 000006
【図５】
2008056356.tif 000007
【図６】
2008056356.tif 000008
【図７】
2008056356.tif 000009